(57)【要約】      （修正有）【課題】焼却などの高温にさらされる条件下でも被処理物の情報を保持することができる通信記録構造を提供する。【解決手段】ボックス本体１００、断熱部２００、セラミック部３００で構成する多層の断熱通信記録構造であって、ボックス本体の内部に収納スペース１１０を設け、断熱部は収納スペース内に配置し、断熱部の内部に納置スペース２１０を設け、セラミック部は納置スペースの中に配置し、セラミック部内に中空部を設け、中空部内にラジオ・フリーケンシー・アイデンティフィケーション(ＲＦＩＤ)を設け、ＲＦＩＤの外層を高温に耐えられる耐熱性接着層で包む。焼却などの処理温度においても、ＲＦＩＤの記録は保存され、焼却後に通信手段によって読み取ることにより、被処理物の情報を確認することができる。【選択図】図１
0003208564.tif 000002
【実用新案登録請求の範囲】
【請求項１】
ボックス本体、断熱部、セラミック部からなり、
該ボックス本体の内部に収納スペースを設け、
該断熱部は収納スペース内に配置し、且つ該断熱部の内部に納置スペースを設け、
該セラミック部は納置スペースの中に配置し、該セラミック部内に中空部を設けて、該中空部内にラジオ・フリーケンシー・アイデンティフィケーション(ＲＦＩＤ、ＲＦタグ)を収納し、且つラジオ・フリーケンシー・アイデンティフィケーション(ＲＦＩＤ、ＲＦタグ)の外層を高温に耐えられる耐熱性接着層で包むことを特徴とする多層の断熱通信記録構造。
【請求項２】
前記該ボックス本体は、ケイ酸カルシウム板で構成することを特徴とする請求項１記載の多層の断熱通信記録構造。
【請求項３】
前記該断熱部は、セラミック繊維板とすることを特徴とする請求項１記載の多層の断熱通信記録構造。
【請求項４】
前記該断熱部は、ケイ酸カルシウム板とすることを特徴とする請求項１記載の多層の断熱通信記録構造。
【請求項５】
前記該断熱部は、断熱繊維材とすることを特徴とする請求項１記載の多層の断熱通信記録構造。
【請求項６】
前記該断熱部は、耐熱セメントとすることを特徴とする請求項１記載の多層の断熱通信記録構造。
【請求項７】
前記該断熱部は、セラミック繊維板、ケイ酸カルシウム板、断熱繊維材及び耐熱セメントのうちの一つ或いは二つ以上で構成することを特徴とする請求項１記載の多層の断熱通信記録構造。
【請求項８】
前記該耐熱性接着層材は、セラミック接着層とすることを特徴とする請求項１記載の多層の断熱通信記録構造。
【請求項９】
該耐熱性接着層材は、耐熱接着層とすることを特徴とする請求項１記載の多層の断熱通信記録構造。
【請求項１０】
前記該耐熱性接着層材は、耐熱接着層及びセラミック接着層のうちの一つ或いは二つで構成することを特徴とする請求項１記載の多層の断熱通信記録構造。
【考案の詳細な説明】
【技術分野】
【０００１】
本考案は、焼却などの高温にさらされる条件下で被処理物の情報を保持する通信記録構造に関し、特に極高温にも耐えて被処理物の情報を保存する通信記録構造に関する。
【背景技術】
【０００２】
近代において、考え方が次第に変化し、また、土葬ができる用地が見つかりにくいなどの要素により、葬式には火葬を選ぶ人がますます多くなってきた。よって各県や市において、火葬場を設けて、国民の葬式のサポートを行う。
【０００３】
しかし、多くの人は身内の葬式を大変重視するため、陰暦の良き時間を考慮して火葬を行うため、火葬場は往々にして同じ時間内に数体の遺体を火葬することになる。それにより火葬場のスタッフが荼毘に付しているのがどの家族の身内なのかを忘れたり、間違った遺体を荼毘に付す状況が発生したりする。どのような状況でも、火葬場としても、家族にとっても起こって欲しくないことであることに鑑みて、解決策を考慮する必要があった。
【先行技術文献】
【特許文献】
【０００４】
【特許文献１】特開２００６−３２０３９３号公報
【考案の概要】
【考案が解決しようとする課題】
【０００５】
前記事情における問題点を解決するため、本考案は極高温にも耐えられる通信構造を提供することを主な課題とする。
【課題を解決するための手段】
【０００６】
上述の目的を解決するために、本考案は多層の断熱通信構造を提供するものであり、それに含まれるものは下記の通りである。
【０００７】
ボックス本体、断熱部、セラミック部を含む。該ボックス本体の内部に収納スペースを設ける。
【０００８】
該断熱部は、収納スペース内に設置し、且つ該断熱部の内部に納置スペースを設ける。
【０００９】
該セラミック部は納置スペースの中に設け、該セラミック部内に中空部を設ける。該中空部内にラジオ・フリーケンシー・アイデンティフィケーション(ＲＦＩＤ、ＲＦタグ)を収納し、且つ該ラジオ・フリーケンシー・アイデンティフィケーション(ＲＦＩＤ)の外層を高温に耐えられる耐熱性接着層で包む。
【００１０】
該ボックス本体は、ケイ酸カルシウム板で構成する。
【００１１】
該断熱部は、セラミック繊維板、ケイ酸カルシウム板、断熱繊維材及び高温セメントのうちの一つ或いは二つ以上で構成する。
【００１２】
該耐熱性接着層材は、高温接着層及びセラミック接着層のうちの一つ或いは二つで構成する。
【００１３】
本考案の主な特徴は、ボックス本体はケイ酸カルシウム板で構成することで、一回目の断熱効果に達する。次に断熱部の材料により二回目の断熱効果に達し、最後にセラミック部の材料によって更にもう一回の断熱を行うことにより、焼却時の高温がラジオ・フリーケンシー・アイデンティフィケーション(ＲＦＩＤ)に伝わって影響を与えるのを避ける。
【００１４】
本考案の第二の特徴は、読み取り機を介してラジオ・フリーケンシー・アイデンティフィケーション(ＲＦＩＤ)にあるデジタル記録を読み取ることにより、正確に当初焼却することを想定した物品を見つけることができる。且つラジオ・フリーケンシー・アイデンティフィケーション(ＲＦＩＤ)はセンチメートル波を使用するのがベストである。この他、該ラジオ・フリーケンシー・アイデンティフィケーション(ＲＦＩＤ)自身も、高温に耐えられる特徴を持ち、更に高温による焼却がもたらす影響を少なくする。
【考案の効果】
【００１５】
本考案の構造は、ボックス本体及び断熱部を通じて、セラミック部を何層にも包む構造上の特徴により、高い断熱効果を達成し、特に高温で作業する環境にて使用するのに適する。
【図面の簡単な説明】
【００１６】
【図１】本考案の立体分解図である。
【図２】本考案の断熱部の断面図である。
【図３】本考案のセラミック部の断面図である。
【考案を実施するための形態】
【００１７】
以下、本考案の構造と特徴および効果を、最良実施例と図面を参照しながら詳細に説明する。
【実施例】
【００１８】
まず同時に図１、図２及び図３を参照する。
【００１９】
図に示すように、本考案の多層の断熱通信記録構造に含まれるのは下記のものである。
【００２０】
ボックス本体１００、断熱部２００、セラミック部３００から構成され、該ボックス本体１００の内部に収納スペースを設ける。
【００２１】
該断熱部２００は、ボックス本体１００の収納スペース１１０内に設置し、且つ該断熱部２００の内部に納置スペース２１０を設ける。
【００２２】
該セラミック部３００は、納置スペース２１０の中に配置し、該セラミック部３００内に中空部３１０を設ける。該中空部３１０内にラジオ・フリーケンシー・アイデンティフィケーション(ＲＦＩＤ)３２０を収納し、且つ該ラジオ・フリーケンシー・アイデンティフィケーション(ＲＦＩＤ)３２０の外層を高温に耐えられる耐熱性接着層３３０で包む。
【００２３】
該ボックス本体１００は、ケイ酸カルシウム板で構成する。
【００２４】
該断熱部２００は、セラミック繊維板、ケイ酸カルシウム板、断熱繊維材及び高温セメントのうちの一つ或いは二つ以上で構成する。
【００２５】
該耐熱性接着層３３０材は、高温接着層及びセラミック接着層のうちの一つ或いは二つで構成する。
【００２６】
本考案の一番外側の外層は、ケイ酸カルシウム板で構成するボックス本体１００である。且つ該ボックス本体１００内部には、物品を置くことのできる収納スペース１１０があり、まず断熱部２００を収納スペース１１０内に置く。更に、セラミック部３００を納置スペース２１０の中に置き、該断熱部２００はまずセラミック部３００をまるごと覆い包む。セラミック部３００内に別途中空部３１０を設け、且つ中空部３１０の中にラジオ・フリーケンシー・アイデンティフィケーション(ＲＦＩＤ)３２０を収納する。該ラジオ・フリーケンシー・アイデンティフィケーション(ＲＦＩＤ)３２０の外層には、高温に耐えられる耐熱性接着層３３０を覆う。
【００２７】
上述の説明で分かるように、本考案は多層の構造を用いてラジオ・フリーケンシー・アイデンティフィケーション(ＲＦＩＤ)３２０を覆うことで、本考案は高温で焼却する環境においても、尚もラジオ・フリーケンシー・アイデンティフィケーション(ＲＦＩＤ)３２０を高温から保護し、ラジオ・フリーケンシー・アイデンティフィケーション(ＲＦＩＤ)３２０が高温により損壊することがない。その中、断熱部２００及び耐熱性接着層３３０はいずれも１０００〜１２６０℃の高温での焼却に耐えられるほか、該ラジオ・フリーケンシー・アイデンティフィケーション(ＲＦＩＤ)３２０自身も６０〜９０分以内であれば８８０〜１０００℃の高温での焼却に耐えられるため、大幅にラジオ・フリーケンシー・アイデンティフィケーション(ＲＦＩＤ)３２０が高温で焼却することによる影響を少なくする。
【００２８】
本考案の実施態様は下記の通りである：
【００２９】
前述の従来技術の説明のように、火葬場のスタッフが多忙の中で火葬する遺体がどの親族の身内なのかを間違えるのを避けるために、焼却する前に棺などに本考案を遺体と一緒に入れる。本考案が一定の時間内で焼却炉の約８７０〜９８０℃の温度に耐えられるよう、本考案全体は高温に耐えられる材質を使用している。例えば最も外層にあるケイ酸カルシウム板は元々防火材質であり、断熱部２００はセラミック繊維板、ケイ酸カルシウム板、断熱繊維材或いは高温セメントのうち、一つ或いは二つ以上で構成し、それらの材質はいずれも１０００〜１２６０℃の高温に耐えられる。また、耐熱性接着層３３０もまた１０００〜１２６０℃の高温焼却に耐えることができる。
【００３０】
本考案は、多層の構造を用いて、焼却時の高温を何層にも渡って遮断し、中心部分に位置するラジオ・フリーケンシー・アイデンティフィケーション(ＲＦＩＤ)３２０が高温の影響を受けるのを避ける。この他、該ラジオ・フリーケンシー・アイデンティフィケーション(ＲＦＩＤ)３２０自身も、６０〜９０分以内であれば８８０〜１０００℃の焼却温度に耐えることができるため、高温焼却によりラジオ・フリーケンシー・アイデンティフィケーション(ＲＦＩＤ)３２０にもたらす影響を減らす。
【００３１】
焼却炉での焼却作業が完了すると、ラジオ・フリーケンシー・アイデンティフィケーション(ＲＦＩＤ)３２０と対応する読み取り器を通じて、ラジオ・フリーケンシー・アイデンティフィケーション(ＲＦＩＤ)３２０にあるデジタル記録を読み取れば、該焼却炉にあった遺体の御家族が誰かが分かる。該ラジオ・フリーケンシー・アイデンティフィケーション(ＲＦＩＤ)３２０はセンチメートル波を採用するのがベストであり、それによりデジタル記録を読み取るスピードも比較的速い。
【００３２】
上述をまとめると、本考案は葬儀業界、火葬場、焼却炉、半導体製品の温度測定、鋼鉄業及び高温の金型作業など、特に高温によって焼却或いはテストする環境に適用する。
【００３３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００３４】
１００ ボックス本体
１１０ 収納スペース
２００ 断熱部
２１０ 納置スペース
３００ セラミック部
３１０ 中空部
３２０ ラジオ・フリーケンシー・アイデンティフィケーション(ＲＦＩＤ、ＲＦタグ)
３３０  耐熱性接着層
【図１】
0003208564.tif 000003
【図２】
0003208564.tif 000004
【図３】
0003208564.tif 000005